(57)【特許請求の範囲】
【請求項１】
フロントケースと、リアケースとを含む電子機器の実装構造において、
前記電子機器の実装構造は、嵌合長さが所定値以上となる１以上のコの字形の爪を備えた前記フロントケースと、
嵌合長さが所要値以上となる１以上の突起と１以上の弾性爪とを備えた前記リアケースと、
前記コの字形の爪に対応するＬ字形の爪を内面に有すると共に前記突起に対応するＬ字形の穴と前記弾性爪に対応する穴とを備えたボトムケースとを有し、
前記フロントケース及び前記リアケースに対して前記ボトムケースを所要距離だけスライドさせたとき、前記コの字形の爪が前記Ｌ字形の爪に嵌合すると共に前記突起が前記Ｌ字形の穴に嵌合し、
前記弾性爪が前記弾性爪に対応する穴に挿入されるように構成したことを特徴とする電子機器の実装構造。
【請求項２】
請求項１に記載の電子機器の実装構造において、
前記リアケースは、第１の基板を装着せしめる爪を内面に備え、
前記ボトムケースは、前記第１の基板を装着せしめる爪と高さ方向での位置が同じとなる位置に設けられ第２の基板をスライドさせて装着せしめる複数のガイドリブを内面に備え、
第１の基板の高さ方向の実装位置と第２の基板の高さ方向の実装位置とが同じとなるように構成したことを特徴とする電子機器の実装構造。
【発明の詳細な説明】
【０００１】
【発明の属する技術分野】
本発明は、受信装置等の電子機器の実装構造に関するものである。
【０００２】
【従来の技術】
従来の電子機器の実装構造の一例として、受信装置の実装構造について図１６、１７を参照して説明する。図１６は従来の受信装置の実装構造を示す正面図（断面図）、図１７は従来の受信装置の実装構造を示す側面図（断面図）である。リアケース１は、爪１ａによりトランス２が実装された基板３を固定していると共に、凸部４ａを穴１ｆに圧入することにより基板３の横にあるＢＡＴケース４を固定している。フロントケース５は、爪５ｅ、溝５ｆ及びボス５ｊに装着されたゴムブッシュ１０によりＯＰ基板７（必要に応じて着脱されるオプション基板７。以下、ＯＰ基板７と称する。）を固定している。ＯＰ基板７はクッション８を介してスピーカ６を押圧固定している。また、フロントケース５の操作部穴にはゴム製ボタン１２が装着されている。リアケース１とフロントケース５の組立は、爪１ｂに爪５ｂを嵌め込み、更に爪１ｃをたわませて爪５ｃに嵌め込むことにより行う。（爪１ｃと爪５ｃはロック用の爪である。）
【０００３】
【発明が解決しようとする課題】
一般的なネジ固定による従来の電子機器の実装構造では、組立作業に多大な時間を要し生産効率を低下させるという欠点がある。特にオプション対応時には、フロントケースにＯＰ基板を装着する必要があることにより、リアケースに取り付けられたフロントケースをわざわざ取り外さなければならないため、オプション対応時以外の時の組立作業よりも多大な時間を要し生産効率を更に低下させるという欠点がある。
【０００４】
また、従来例として記載した電子機器の実装構造ではネジレス構造になってはいるものの、オプション対応時には、一般的なネジ固定による従来の電子機器の実装構造と同様に、オプション対応時以外の時の組立作業よりも多大な時間を要し生産効率を更に低下させるという欠点がある。更に、リアケースに取り付けられたフロントケースを取り外す際には工具を必要とするため（リアケースの爪に例えばマイナスドライバーをあててたわませることでフロントケースと取り外すようにしているため）、傷が付きやすいという欠点がある。また基板の交換に際しても爪が多すぎる場合、取り外しづらいために保守性が著しく低下するという欠点がある。その他、嵌合用の爪をたわませてロックする構造であるために嵌合長さを大きく確保することができず、その結果、過度の衝撃（例えば、落下衝撃）が加わる場合、嵌合部が外れることがあるという欠点がある。
【０００５】
そこで本発明では、これらの欠点を除去することにより、オプション対応時も含めて組立性を向上させる（容易に組立が行えるようにする）と共に落下衝撃性の高い電子機器の実装構造を提供することを目的とする。
【０００６】
【課題を解決するための手段】
本発明は上記の目的を達成するため、電子機器の筐体をフロントケースとリアケースとボトムケースの３つのケースで構成すると共に、ケース（フロントケース、リアケース、ボトムケース）の嵌合用爪の嵌合長さを十分確保できるように大きくし、嵌合用爪をたわませることなくケースをスライドさせて電子機器を組み立てるようにしたものである。即ち、リアケースの背面に設けられた爪の嵌合長さと、フロントケースの内面に設けられリアケースの爪に対応する爪の嵌合長さとを所要値以上とすることにより、フロントケースを縦方向にスライドさせることでフロントユニットの爪をリアユニットの爪に嵌め込むことができるようにしたものである。そしてリアケースの内面に爪を設けると共に、リアケースの内面に設けられた爪が係り止めされる穴をフロントケースの正面に設けることにより、リアケースにフロントケースを装着することができるようにしたものである。
【０００７】
更に、リアケースの下面に突起、フロントケースの上面にコの字形の爪を設けると共にボトムケースの下面にリアケースの突起に対応するＬ字形の穴、ボトムケースの内面にフロントケースのコの字形の爪に対応するＬ字形の爪を設けることにより、ボトムケースを横方向にスライドさせることでボトムケースのＬ字形の穴にリアケースの突起を嵌め込むと共にボトムケースのＬ字形の爪をフロントケースのコの字形の爪に嵌め込むことができるようにしたものである。そしてリアケースの下面に弾性爪を設け、ボトムフレームの下面にリアケースの下面に設けられた弾性爪が挿入される穴を設けることにより、ボトムケースをリアケース及びフロントケースに装着することができるようにしたものである。電子機器を分解するときも同様にしてケース（フロントケース、リアケース、ボトムケース）をスライドさせて行うことができるようにしたものである。その結果、嵌合長さが大きくなったことにより、耐衝撃性が高くなるようにしたものである。
【０００８】
オプション対応時については、ボトムケースにＯＰ基板（第２の基板）を取り付けることができるスペースを設けると共にＯＰ基板（第２の基板）を取り付けるためのガイドリブを内面に設けるようにしたものである。その結果、本体ユニットをフロントユニットとリアユニットとに分解することなくオプション化でき（必要に応じて容易にＯＰ基板を取り付けることができるようになり）、組立性、オプション対応性が良くなるようにしたものである。更に、リアケースに基板（第１の基板）を取り付けるための爪を内面に設け、この爪とガイドリブの高さ方向の位置が同じとなるようにすることにより、基板（第１の基板）とＯＰ基板（第２の基板）の高さ方向の実装位置が同じとなるようにすることで、電磁波ノイズの干渉を受けにくくなるようにしたものである。
【０００９】
【発明の実施の形態】
本発明の電子機器の一実施例である受信装置の実装構造について、図１〜１５を参照して説明する。図１は本実施例である受信装置の実装構造を示す側面図（断面図）、図２は本実施例である受信装置のフロントユニットとリアユニットとの実装構造を示す正面図（断面図）、図３は本実施例である受信装置のフロントユニットとボトムユニットとの実装構造を示す正面図（断面図）、図４は本実施例である受信装置のリアユニットの構造を示す分解斜視図、図５は本実施例である受信装置のリアユニットの構造を示す組立斜視図、図６は本実施例である受信装置のリアユニットの構造を示す平面図、図７は本実施例である受信装置のフロントユニットの構造を示す分解斜視図、図８は本実施例である受信装置のフロントユニットの構造を示す組立斜視図、図９は本実施例である受信装置のボトムユニットの構造を示す分解斜視図、図１０は本実施例である受信装置のボトムユニットの構造を示す組立斜視図、図１１は本実施例である受信装置のボトムユニット（オプション対応時用）の構造を示す分解斜視図、図１２は本実施例である受信装置の本体ユニット（フロントユニットとリアユニット）の構造を示す分解斜視図、図１３は本実施例である受信装置の本体ユニット（フロントユニットとリアユニット）の外観を示す斜視図、図１４、１５は本実施例である受信装置の外観を示す斜視図である。
【００１０】
本実施例の受信装置は図１４、１５に示すように、リアユニットＡ、フロントユニットＢ、ボトムユニットＤより構成される。以下、各ユニットの構成について説明する。
【００１１】
まず第１に、リアユニットＡの構成について図４〜６より説明する。リアユニットＡは、リアケース１と、リアケース１の内面の複数の爪１ａに固定される基板３と、ＡＣアダプタ２６の収納部と、ＡＣアダプタ２６と基板３との間を仕切るためにガイド溝１ｇに装着されるシキリ９と、リアケース１の背面の穴１ｈに挿入した後回転して固定し基板３上のアンテナ端子１８と接続されるアンテナ１５（以下、ＡＮＴ１５と称する。）、穴１ｈに挿入されるキャップ１６により構成される。（リアケース１へのＡＮＴ１５、キャップ１６の取付に関する構造は、特願２０００−２３７８７２に詳細に記載している。）
第２に、フロントユニットＢの構成について図７、８より説明する。フロントユニットＢは、フロントケース５と、スピーカ６と、スピーカ６のヨーク６ａに嵌め込み回転させた後フロントケース５の内面の爪５ｍによりロックされるスピーカオサエ１７（以下、ＳＰオサエ１７と称する。）により構成される。
【００１２】
第３に、ボトムユニットＤの構成について図９、１０より説明する。ボトムユニットＤは、ボトムケース１３と、ボトムケース１３のガイド溝１３ｂに沿って凸部４ｂがスライドして挿入される電池端子付きバッテリーケース４（以下、ＢＡＴケース４と称する。）、ボトムケース１３のガイド穴１３ｄに嵌合する突起１１ａを有する電池蓋１１により構成される。
【００１３】
次に、本実施例の受信装置の組立について説明する。まず第１に本体ユニットＣ（フロントユニットＡとリアユニットＢ）の組立について、図１、２、７、８、１２より説明する。リアケース１の背面には爪１ｂを有し、フロントケース５の内面には爪１ｂに対応する爪５ｂを有している。また、フロントケース５の正面には穴５ｇを有し、リアケース１の内面には穴５ｇに対応する爪１ｄを有している。フロントユニットＡ、リアユニットＢのどちらか一方をスライドさせて、例えばフロントユニットＡをスライドさせて爪５ｂを爪１ｂに嵌合させると共に爪１ｄを穴５ｇに係り止めさせることにより、本体ユニットＣを組み立てることができる。
【００１４】
第２に、本体ユニットＣへのボトムユニットＤの装着について、図１、２、１０、１３より説明する。フロントケース５の上面には複数のコの字形状の爪５ｈを有し、ボトムケース１３の内面には爪５ｈに対応する複数のＬ字形の爪１３ｃを有している。また、リアケース１の背面には複数の突起物１ｉを有し、ボトムケース１３の背面には突起物１ｉに対応するＬ字形の穴１３ｄを有している。本体ユニットＣに対してボトムユニットＤをスライドさせて爪５ｈを穴１３ｃに嵌合させると共に突起物１ｉを穴１３ｄに嵌合させることにより、本体ユニットＣにボトムユニットＣを装着することができる。ボトムケース１３の爪１３ｃ、穴１３ｄがＬ字形であることにより、本体ユニットＣに対するボトムユニットＤの装着方向は、リアユニットＢに対するフロントユニットＡの装着方向に対して垂直である。また、リアケース１には複数の弾性爪１ｅを有しており、ボトムケース１３には弾性爪１ｅに対応する角穴１３ａを有している。本体ユニットＣにボトムユニットＤを挿入したとき（挿入方向はリアユニットＢに対するフロントユニットＡの装着方向と逆方向である。）、弾性爪１ｅはボトムケース１３の内面におされてたわむ。挿入した後でボトムユニットＤをスライドさせる方向を９０度変えて動かしたことで弾性爪１ｅが角穴１３ａの上を通過したとき、弾性爪１ｅの復元力で元の状態（たわんでいない状態）に戻ろうとする。この復元力により、弾性爪１ｅが角穴１３にひっかかるためにロックされる。
【００１５】
本体ユニットＣの組立、本体ユニットＣへのボトムユニットＤの装着により本実施例の受信装置を組み立てることができる。逆に、本実施例の受信装置を分解するときも同様にして、各ユニット（フロントユニットＡ、リアユニットＢ、ボトムユニットＤ）をスライドさせて行うことができる。
【００１６】
次に、本実施例の受信装置のセルフクリーニング、ＯＰ基板７の着脱について図９、１２により、ボタン２４の装着について図１１により説明する。ボトムユニットＤを本体ユニットＣに対してスライドさせたとき、ＢＡＴケース４側の端子２１、２２が本体ユニットＣ側の電源端子１９、２０に接触しながら動くことにより、本体ユニットＣ側の電源端子１９、２０がセルフクリーニングされる。また、ボトムケース１３内部のＢＡＴケース４の下側にはＯＰ基板７を装着する収納部を有すると共に、ＯＰ基板７をスライドさせることにより挿入させた後で固定することができる複数のガイド溝１３ｅとリブ１３ｈを有している。一方、リアケース１の内面に基板３を装着することができる爪１ａを有している。爪１ａとガイド溝１３ｅとリブ１３ｈの高さ方向の位置が同じとなるようにすることにより、基板３とＯＰ基板７の高さ方向での実装位置が同じとなるようにする。その結果、電磁波ノイズの干渉を受けにくくすることができる。更に、ボトムケース１３には、操作ボタン２３を外部から挿入する穴１３ｇと、ボタン２３を保持するボタンホルダ２４をスライドさせるためのガイド溝１３ｆを有している。
【００１７】
以上のように本実施例の受信装置の実装構造では、ユニットをスライドさせることにより容易に受信装置を組立、分解することができる。従って、基板が不具合をおこしたときの基板交換、必要に応じてＯＰ基板の着脱が容易に行うことができることにより、生産効率を上げることができる。また、工具を使用する必要がないので受信装置に傷を付けずにすむことができる。更に、嵌合長さを大きくとっていることにより、過度の衝撃（例えば、落下衝撃）が加わっても、嵌合部が外れることがないようにすることができる。
【００１８】
本実施例では受信装置の実装構造について説明したが、これに限定されるものではない。受信装置以外の電子機器も本実施例の受信装置と同様にして各ユニットの嵌合用爪の嵌合長さを十分確保できるように大きくし、嵌合用爪をたわませることなくユニットをスライドさせる実装構造にすることにより、生産効率を上げると共に過度の衝撃（例えば、落下衝撃）が加わっても、嵌合部が外れることがないようにすることができる。更に、電子機器に傷をつけずにすむことができる。
【００１９】
【発明の効果】
本発明によれば、工具を使用せず極めて簡単な組立作業が行えるため、生産性を大幅に向上させることができる（通常のネジ固定方式の実装では、内外合わせて１０ヶ所以上ネジ止めされている場合には組立に数分かかるが、本発明の実装構造の電子機器では数十秒で組み立てることができる）。従来のネジレス構造の電子機器と比較した場合、従来はロック用の爪と嵌合用の爪を同一の爪としているのに対し、本発明ではロック用の爪と嵌合用の爪を同一の爪としていないことで嵌合長さを長くとり、嵌合用の爪をたわませることなく組み立てることができるため、落下衝撃に対して強い実装構造を提供することができる。また、オプション対応の際、従来はドライバー等の工具によりリアケースの爪をたわませながらフロントケースを外し、ＯＰ基板を追加する必要があったが、本発明では扱者の指でリアケースの爪を押しながらボトムユニットをスライドして外すだけでＯＰ基板を追加することができ、保守性を著しく向上させることができる。更に、ＯＰ基板を基板と水平に並べて配置しているため、電磁波ノイズの干渉を受けにくいという効果もある。
【図面の簡単な説明】
【図１】本発明の一実施例である受信装置の実装構造を示す側面図（断面図）。
【図２】本発明の一実施例である受信装置のフロントユニットとリアユニットとの実装構造を示す正面図（断面図）。
【図３】本発明の一実施例である受信装置のフロントユニットとボトムユニットとの実装構造を示す正面図（断面図）。
【図４】本発明の一実施例である受信装置のリアユニットの構造を示す分解斜視図。
【図５】本発明の一実施例である受信装置のリアユニットの構造を示す組立斜視図。
【図６】本発明の一実施例である受信装置のリアユニットの構造を示す平面図。
【図７】本発明の一実施例である受信装置のフロントユニットの構造を示す分解斜視図。
【図８】本発明の一実施例である受信装置のフロントユニットの構造を示す組立斜視図。
【図９】本発明の一実施例である受信装置のボトムユニットの構造を示す分解斜視図。
【図１０】本発明の一実施例である受信装置のボトムユニットの構造を示す組立斜視図。
【図１１】本発明の一実施例である受信装置のボトムユニット（オプション対応時用）の構造を示す分解斜視図。
【図１２】本発明の一実施例である受信装置の本体ユニット（フロントユニットとリアユニット）の構造を示す分解斜視図。
【図１３】本発明の一実施例である受信装置の本体ユニット（フロントユニットとリアユニット）の外観を示す斜視図。
【図１４】本発明の一実施例である受信装置の外観を示す斜視図。
【図１５】本発明の一実施例である受信装置の外観を示す斜視図。
【図１６】従来の一例である受信装置の実装構造を示す正面図（断面図）。
【図１７】従来の一例である受信装置の実装構造を示す側面図（断面図）。
【符号の説明】
１：リアケース                   ２：トランス
３：基板                          ４：ＢＡＴケース
５：フロントケース               ６：スピーカ
７：ＯＰ基板                             ８：クッション
９：シキリ                       １０：ゴムブッシュ
１１：電池蓋                            １２：ゴム製ボタン
１３：ボトムケース               １４：オプション対応ボトムケース
１５：ＡＮＴ                             １６：キャップ
１７：ＳＰオサエ                 １８：アンテナ端子
１９：電源端子                   ２０：電源端子
２１：端子                       ２２：端子
２３：操作ボタン                 ２４：ボタンホルダ
２５：ツマミ                            ２６：ＡＣアダプタ
１ａ：爪                          １ｂ：爪
１ｃ：爪                          １ｄ：爪
１ｅ：弾性爪                            １ｆ：穴
１ｇ：ガイド溝                   １ｈ：穴
１ｉ：突起物
４ａ：凸部                       ４ｂ：凸部
５ｂ：爪                          ５ｃ：爪
５ｄ：ボス                       ５ｅ：爪
５ｆ：溝                         ５ｇ：穴
５ｈ：コの字形状の爪                    ５ｊ：ボス
５ｍ：爪
６ａ：ヨーク                            ７ｂ：穴
１３ａ：角穴                            １３ｂ：ガイド溝
１３ｃ：Ｌ字形の爪               １３ｄ：Ｌ字形の穴
１３ｅ：ガイドリブ                    １３ｆ：ガイド溝
１３ｇ：穴                            １３ｈ：リブ
【図１】
0003778788.tif 000002
【図２】
0003778788.tif 000003
【図３】
0003778788.tif 000004
【図４】
0003778788.tif 000005
【図５】
0003778788.tif 000006
【図６】
0003778788.tif 000007
【図７】
0003778788.tif 000008
【図８】
0003778788.tif 000009
【図９】
0003778788.tif 000010
【図１０】
0003778788.tif 000011
【図１１】
0003778788.tif 000012
【図１２】
0003778788.tif 000013
【図１３】
0003778788.tif 000014
【図１４】
0003778788.tif 000015
【図１５】
0003778788.tif 000016
【図１６】
0003778788.tif 000017
【図１７】
0003778788.tif 000018